(57)【要約】【課題】背中の汗取り効果を有する多目的に利用可能な収納部を有するインナーウェアの提供。【解決手段】少なくとも前身頃および後身頃から構成され、前記後身頃の裏側には衿ぐりにおいて開口し、該衿ぐり部分から下方へポケット状に形成された収納部を有するインナーウェアであって、前記収納部が、衿ぐりを裁断して形成される１枚の舌片生地部を途中で二つ折りにし、該二つ折りにした舌片生地部の両横辺と二つ折りの谷折り部を後身頃に縫着することで袋状に形成されたことを特徴とするインナーウェア。【選択図】  図２
0003173524.tif 000002
【実用新案登録請求の範囲】
【請求項１】
少なくとも前身頃および後身頃から構成され、前記後身頃の裏側には衿ぐりにおいて開口し、該衿ぐり部分から下方へポケット状に形成された収納部を有するインナーウェアであって、前記収納部が、衿ぐりを裁断して形成される１枚の舌片生地部を途中で二つ折りにし、該二つ折りにした舌片生地部の両横辺と二つ折りの谷折り部を後身頃に縫着することで袋状に形成されたことを特徴とする収納部付きインナーウェア。
【請求項２】
前記収納部が、衿ぐりを裁断して形成される１枚の舌片生地部から構成され、後身頃の衿ぐりの一部と連続するとともに、その連続部において後身頃の裏側へ下方に折り返される第一折り返し部と、舌片部の途中から上方に折り返される第二折り返し部とから構成され、該第二折り返し部の先端側は後身頃の衿ぐりより上方に突出することを特徴とする請求項１に記載の収納部付きインナーウェア。
【請求項３】
前記収納部の先端部は収納部の開口を塞いで後身頃表側に折り返し自在に形成されており、該先端部と後身頃には互いに係止可能な係止部が形成されていることを特徴とする請求項１または請求項２のいずれかに記載の収納部付きインナーウェア。
【請求項４】
少なくとも前記収納部が吸汗速乾素材により形成されていることを特徴とする請求項１ないし３のいずれか１項に記載の収納部付きインナーウェア。
【考案の詳細な説明】
【技術分野】
【０００１】
本考案は、背中の汗取り効果を有し、多目的に利用可能な収納部を有する下着に関するものである。
【背景技術】
【０００２】
従来、下着として着用されるインナー類において、脇下部分の汗を吸収することにより着用感の向上を図ったものが知られており、例えば、特許文献１では、下着本体の脇下部に対応する部分に汗を吸収しやすい汗取り部材を縫い付けたものが開示されている。また、特許文献２では、下着の少なくとも脇下にあたる部分を他の部分より透水性に優れた繊維からなる布で構成したものが開示されている。
【０００３】
しかしながら、特許文献１および２のように、脇下の吸汗を目的としたインナーはあったものの、背中部分の吸汗について使用できるものはなかった。また、特許文献１および２のインナーは、あくまでも吸汗効果による着用感の向上のみを目的としており、それ以外の用途に応用できるものではなかった。
【先行技術文献】
【特許文献】
【０００４】
【特許文献１】特開２０００−３１４００５
【特許文献２】特開２００３−２４７１０３
【考案の概要】
【考案が解決しようとする課題】
【０００５】
そこで本考案は、背中の汗取り効果を有する多目的に利用可能な収納部を有するインナーウェアを提供することをその課題とするものである。
【課題を解決するための手段】
【０００６】
本考案は、上記課題を解決するものであり、少なくとも前身頃および後身頃から構成され、前記後身頃の裏側には衿ぐりにおいて開口し、該衿ぐり部分から下方へポケット状に形成された収納部を有するインナーウェアであって、前記収納部が、衿ぐりを裁断して形成される１枚の舌片生地部を途中で二つ折りにし、該二つ折りにした舌片生地部の両横辺と二つ折りの谷折り部を後身頃に縫着することで袋状に形成されたことを特徴とする収納部付きインナーウェアである。
【考案の効果】
【０００７】
本考案の収納部付きインナーウェアは、後身頃の裏側にポケット状に形成された収納部を設けることにより、背中の吸汗を効果的に行うことができるとともに、用途に応じて該収納部に保冷部材、保温部材、防臭部材等を収納することができ、多目的に使用することが可能である。
【図面の簡単な説明】
【０００８】
【図１】本考案に係る収納部付きインナーウェアの正面図。
【図２】本考案に係る収納部付きインナーウェアの背面図。
【図３】本考案に係る収納部付きインナーウェアの裁断段階を表した図。
【図４】本考案に係る収納部付きインナーウェアの収納部を縫着した状態を表した図。
【図５】本考案に係る収納部付きインナーウェアの着用状態を表した図。
【考案を実施するための形態】
【０００９】
以下、本考案の収納部付きインナーウェアの一実施態様を、図面に基づいて具体的に説明する。なお、本考案はこれら実施態様に何ら制約されるものではない。
【００１０】
図１は本考案に係る収納部付きインナーウェアの正面図、図２は同背面図である。図中、１は前身頃、２は後身頃、４は舌片生地部、５は収納部、３２は後身頃衿ぐり、５１は開口部をそれぞれ示す。
【００１１】
各図に示すように、本考案にかかる収納部付きインナーウェアは、前身頃１と後身頃２よりなるタンクトップのインナーであり、後身頃２の裏面には、１枚の舌片生地部４を途中で二つ折りにしてポケット状に形成された収納部５が設けられている。なお、本実施態様では、袖無しのタンクトップタイプのものが採用されているが、これを袖付きの例えばフレンチタイプのインナーとしてもよい。
【００１２】
以下、本考案の収納部付きインナーウェアの裁断および縫着方法について説明する。図３は、本考案に係るインナーの裁断の一段階を表す図である。本図では、前身頃２および後身頃３の裏面が見えている状態で表されている。図に示すように、本考案のインナーは連続する１枚の生地より前身頃１および後身頃２が裁断される。そして、衿ぐり３を裁断するときに１枚の舌片状の生地部４が形成される。かかる舌片生地部４と、前身頃衿ぐり３１、後身頃衿ぐり３２の裁断部は、裁断後、それぞれテープ６により補強処理が施される。そして、衿ぐり３を裁断するときに裁断された肩部７を縫着し、その後、脇下から前身頃２と後身頃３とを互いに縫着して身頃本体が形成される。
【００１３】
本考案のインナーウェアの収納部５は以下のように形成する。まず、図３に示すように、衿ぐり３を裁断するときに形成された舌片生地部４を、後身頃の衿ぐり３２に連続している部分から下方に折り返す。この状態において、舌片生地部４の上部から約３分の１のところを谷折り部４３とし、かかる谷折り部４３より上方の舌片生地部４を第一折り返し部４１、谷折り部４３より下方の舌片生地部４を第二折り返し部４２とする。次に、図４に示すように、舌片生地部４を谷折り部４３で二つ折りにして、第二折り返し部４２を上方に折り返す。そして、この状態で、第一折り返し部４１と第二折り返し部４２の両横辺４４を後身頃３に縫着し、さらに、谷折り部４３も同様に後身頃３に縫着する。これにより、後身頃衿ぐり３２に沿って開口部５１を有するポケット状の収納部５が形成される。
【００１４】
図５は、本考案に係るインナーウェアの着用状態を表した図である。図に示すように、着用状体において、舌片生地部４の先端側は後身頃衿ぐり３２より上方に突出しており、インナーの外側へと垂らすことにより開口部５１を塞ぐことができる。また、かかる舌片生地部４をインナー外側に垂らさずに、開口部５１内に差し込んで収納してもよい。さらに、舌片生地部４の先端部と後身頃３の互いの接触部に、互いに係止可能な係止部を設けてもよい。かかる係止部としては、面ファスナ−、ボタン、フックなど、公知のものを適宜採用することができる。
【００１５】
本考案のインナーウェアの素材について、少なくとも収納部５を構成する舌片生地部４は吸汗速乾素材により形成することが好ましい。このように舌片生地部４を優れた吸汗速乾性を有する吸汗速乾素材により形成することで、収納部５では第一折り返し部４１と第二折り返し部４２により吸汗速乾素材の生地が２枚重ねになり、より効果的に汗を吸収することができる。また、前身頃１、後身頃２についても同様に吸汗速乾素材にて形成してもよい。ここで、吸汗速乾素材としては公知のものを使用することができ、例えば、綿６５％、ポリエステル３５％の混紡で、フライス編みのものを使用することができる。
【００１６】
さらに、本考案のインナーウェアの収納部５は用途に応じて様々な内容物を収納することができる。例えば、夏場は保冷部材を収納しておけば効果的に発汗を抑えることができ、吸汗速乾素材により形成された収納部５と相俟って、着用感の向上を図ることができる。また、冬場には、携帯用カイロなどの保温部材を収納することで保温効果が向上し、季節を問わず防臭部材等を収納してもよい。なお、本考案のインナーウェアは、インナー（下着）としての用途に限定されるものではなく、夏場や運動時などにはアウターとして着用してもよい。
【符号の説明】
【００１７】
１……前身頃
２……後身頃
３……衿ぐり
４……舌片生地部
５……収納部
６……テープ
７……肩部
３１……前身頃衿ぐり
３２……後身頃衿ぐり
４１……第一折り返し部
４２……第二折り返し部
４３……谷折り部
４４……横辺
５１……開口部
【図１】
0003173524.tif 000003
【図２】
0003173524.tif 000004
【図３】
0003173524.tif 000005
【図４】
0003173524.tif 000006
【図５】
0003173524.tif 000007